(57)【要約】【課題】  加工精度あるいは組み付け精度をさほど高めることなく、異物に影響されずに、シーソーつまみを動作してスイッチを操作末端まで、確実に操作可能なシーソースイッチを提供する。【解決手段】  スイッチ部を収納するとともにシーソーつまみ７をシーソー動作可能に保持するスイッチケース４と、スイッチケース４にかぶせられて表面に化粧面を有するパネル５と、パネル５にはシーソーつまみ７との間に設けられた隙間ａとを備え、スイッチケース５には、シーソーつまみ７と対向し、また、シーソーつまみ７の押圧方向から見た平面視状態でシーソーつまみ７から外れた範囲に至る、少なくとも隙間ａの範囲に形成されたテーパー部２１を設け、また、テーパー部２１を画成するスペース２２を設けた。【選択図】      図２
2006228524.tif 000002
【特許請求の範囲】
【請求項１】
スイッチ部を収納するとともにシーソーつまみをシーソー動作可能に保持するスイッチケースと、
前記スイッチケースにかぶせられて表面に化粧面を有するパネルと、
前記パネルには前記シーソーつまみとの間に設けられた隙間とを備え、
前記スイッチケースには、前記シーソーつまみと対向し、また、前記シーソーつまみの押圧方向から見た平面視状態で前記シーソーつまみから外れた範囲に至る、少なくとも前記隙間の範囲に形成されたテーパー部を設け、また、前記テーパー部を画成するスペースを設けたことを特徴とするシーソースイッチ。
【請求項２】
請求項１のシーソースイッチは、パワーウインドウ駆動用スイッチとしたことを特徴とするシーソースイッチ。
【請求項３】
請求項２において、前記テーパー部及び前記スペースは、前記シーソーつまみの形成方向に設けたことを特徴とするシーソースイッチ。
【請求項４】
請求項３において、前記シーソーつまみの形成方向の一方の端部の上部を、手を触れる被当接部とし、前記被当接部を上下方向に移動して、前記シーソーつまみをシーソー動作させ、前記被当接部に対向する側の端部にのみ前記テーパー部を設けたことを特徴とするシーソースイッチ。
【発明の詳細な説明】
【技術分野】
【０００１】
本発明は、例えば自動車のパワーウインドウスイッチに用いられるシーソースイッチに関する。
【背景技術】
【０００２】
従来のシーソースイッチの一例としては、例えば、自動車のパワーウインドウスイッチに関する特許文献１があり、これを図１０、図１１に示す。
【０００３】
この図１０に示すように、スイッチ装置Ｓ２は、回路基板１０５を備え、この回路基板１０５上にはスイッチケース１０６が取り付けられているとともに、その上部にはパネル１０７が、その下部にはカバー１０８がそれぞれ装着されていることでその基本構造体が構成されており、そして、この基本構造体の所定位置にはドアロックスイッチ１０２とパワーウインドウスイッチとしてシーソースイッチ１０３とがそれぞれ配置されている。
【０００４】
このシーソースイッチ１０３の構成を説明する。なお、この説明の理解を容易にするうえで図１０において、左側のパワーウインドウスイッチ１０３ではスイッチケース１０６の挿通孔１２４部分の断面が示され、右側のパワーウインドウスイッチ１０３では感触プレート１２５部分の断面が示されている。
【０００５】
１１０はシーソーつまみであり、シーソーつまみ１１０の下部にはその少し後方側に筒状の軸支部１１２が下方に突設されている。軸支部１１２は平面形状が略正方形で、内部に下方が開放する角筒空間１１３が設けられ、両側外面には一対の軸支穴１１４が凹設され、さらに、軸支部１１２の一方側の側壁にはスイッチ作動部としての下方への延出部１１６が一体に設けられ、その下端にはスイッチ素子作動用の係止凹部１１８が設けられている。また、軸支部１１２の角筒空間１１３内には筒体１１５が設けられ、その筒体１１５内にコイルバネ１１９を介して感触用接触部としての感触体１１７が装着されている。
【０００６】
これに対してスイッチケース１０６面には、立ち上がり壁部１２１で囲まれるようにしてシーソーつまみ１１０の取り付け開口１２０が設けられている。立ち上がり壁部１２１の両側部の内面には一対の軸支用突部１２２が一体に設けられ、取り付け開口１２０内の底部の一方側に挿通孔１２４が設けられ、底部の中央には感触部材としての感触プレート１２５が着脱可能に装着されている。また、取り付け開口１２０の挿通孔１２４に相対する立ち上がり壁部１２１の前後部の内面には、上記延出部１１６への当接部となる一対のストッパー面１２６がテーパー状に形成されている。
【０００７】
そして、軸支部１１２を一体とするシーソーつまみ１１０が取り付け開口１２０部分に、その軸支穴１１４それぞれに軸支用突部１２２が外側から弾力的に嵌入する状態において揺動可能に取り付けられる。この取り付け状態において、一方では延出部１１６が挿通孔１２４を通してスイッチケース１０６の下方に突出し、他方では感触体１１７が感触プレート１２５上面に弾力的に接触する。
【０００８】
スイッチ素子１３０は回路基板１０５上に装着され、その上面には被操作部１２８がスライド移動可能に設けられている。そして、その被操作部１２８に上記延出部１１６の係止凹部１１８が係止するようになっている。
【０００９】
次に、上記従来例の動作を説明する。
【００１０】
シーソーつまみ１１０は非操作時には、スイッチ素子１３０の被操作部１２８は、軸支部１１２を直立するように付勢されている。そして、シーソーつまみ１１０の前側（図１０において左側）が押し込まれると、シーソーつまみ１１０は前側が下がるように揺動され、係止凹部１１８によって被操作部１２８が後方にスライド移動され、これによりスイッチ素子１３０から対応するウインドウの駆動機構に開放信号が出力される。上記のシーソーつまみ１１０の揺動時には感触体１１７が感触プレート１２５上を弾力的に接触しながら移動し、これによりシーソーつまみ１１０の操作がスムーズに行われて良好な操作フィーリングが得られる。
【００１１】
また、シーソーつまみ１１０の揺動は延出部１１６の後端面がストッパー面１２６に当接することにより停止される。シーソーつまみ１１０の図１０の左側を引き上げた際には、前記と逆の動作が同様に行われ、これにより、スイッチ素子１３０からはウインドウの閉鎖信号が出力される。
【特許文献１】実開平０５−０２３３７２号公報
【発明の開示】
【発明が解決しようとする課題】
【００１２】
ところで、従来のシーソースイッチでは、操作状態においてはシーソーつまみ１１０を設けた上面を手で覆っている為、その上面は手で遮られシーソーつまみ１１０とパネル１０７との隙間ａから内部に異物が入り込む可能性は少ない。
【００１３】
しかしながら、非操作状態の際には手が除かれており、パワーウインドウスイッチがドアの近くということもあり、小石あるいは砂等の硬質の異物が内部に誤って入り込む可能性がある。
【００１４】
そして、シーソーつまみ１１０の移動経路に該異物が位置し、シーソーつまみ１１０とスイッチケース１０６の間に介在すると、シーソーつまみ１１０の移動を移動途中で妨害することとなってしまい、シーソーつまみ１１０が所定の位置まで移動せず、よってスイッチが動作されない不都合が考えられる。
【００１５】
なお、シーソーつまみ１１０とパネル１０７の開口縁との間に殆ど隙間ａが生じないようにシーソーつまみ１１０とパネル１０７の開口縁との隙間ａを小さくすればこの課題は解決できるが、シーソーつまみ１１０とパネル１０７とは別々の部材でありその隙間ａを小さくすると、加工精度、あるいは組み付け精度のバラツキによって、シーソーつまみ１１０とパネル１０７の開口縁が当接するという不具合が新たに生じる可能性がある。
【００１６】
本発明の目的は、加工精度あるいは組み付け精度をさほど高めることなく、異物に影響されずに、シーソーつまみを動作してスイッチを操作末端まで、確実に操作可能なシーソースイッチを提供することにある。
【課題を解決するための手段】
【００１７】
上述の目的を達成するために、本発明のシーソースイッチは、スイッチ部を収納するとともにシーソーつまみをシーソー動作可能に保持するスイッチケースと、前記スイッチケースにかぶせられて表面に化粧面を有するパネルと、前記パネルには前記シーソーつまみとの間に設けられた隙間とを備え、前記スイッチケースには、前記シーソーつまみと対向し、また、前記シーソーつまみの押圧方向から見た平面視状態で前記シーソーつまみから外れた範囲に至る、少なくとも前記隙間の範囲に形成されたテーパー部を設け、また、前記テーパー部を画成するスペースを設けた構成にしてある。
【００１８】
また、上述の発明のシーソースイッチは、パワーウインドウ駆動用スイッチとした構成にしてある。
【００１９】
また、上述の発明のシーソースイッチにおいて、前記テーパー部及び前記スペースは、前記シーソーつまみの形成方向に設けた構成にしてある。
【００２０】
また、上述の発明のシーソースイッチにおいて、前記シーソーつまみの形成方向の一方の端部の上部を、手を触れれる被当接部とし、前記被当接部を上下方向に移動して、前記シーソーつまみをシーソー動作させ、前記被当接部に対向する側の端部にのみ前記テーパー部を設けた構成にしてある。
【発明の効果】
【００２１】
本発明は、異物の大きさがパネルとシーソーつまみの隙間以上の場合には内部に入り込まない。また、隙間以下の場合には、最大隙間の大きさとほぼ同じ大きさの異物が入り込む可能性があるが、入り込んでもテーパー部とスペースによって異物は移動し、シーソーつまみの移動軌跡上から外れた位置に移動することとなるので、シーソーつまみの動作を妨げない。よって、異物に影響されずにスイッチの操作末端までシーソーつまみを確実に操作できる。
【００２２】
本発明は、パワーウインドウ駆動用スイッチでシーソーつまみをシーソーつまみの形成方向と直交する方向にコンパクトに並べて配置できる。
【００２３】
本発明は、凹みとなって異物が入り込む可能性が高い方のシーソーつまみの当接部に対向する端部のみにテーパー部を設けているので、寸法を小さくできる。
【発明を実施するための最良の形態】
【００２４】
以下、本発明のシーソースイッチの実施例を図面に基づいて説明する。
【００２５】
図１は本発明の実施例に係るシーソースイッチを適用したパワーウインドウスイッチ装置の平面図、図２は図１の２−２線に沿った断面図、図３は図２の３−３線に沿った断面図、図４は押圧状態を示す断面図、図５は図４の５−５線に沿った断面図、図６は更に押圧した状態を示す断面図、図７は図６の７−７線に沿った断面図、図８はスイッチケース内に収納されたクリックゴムを横断して示す断面図、図９はクリックゴムの斜視図である。
【００２６】
次に、本発明の実施例であるシーソースイッチの構成を図１〜図９に基づいて説明する。
【００２７】
スイッチ装置Ｓは、運転者の操作が行い易いように運転席側のドアの側部に配備されており、かつ、運転者の操作に便利なように前記各座席それぞれのウインドウの開閉のために各ウインドウに個別に対応して設けられたパワーウインドウスイッチとしてのシーソースイッチ１が４個設けられている。なお、基本的に４つも同じ構造の為２つについて図示する。２は他の操作スイッチである。
【００２８】
図２に示すようにスイッチ装置Ｓは、図示しない複数組の固定接点を有する回路基板３を備え、この回路基板３上にはスイッチケース４が取り付けられているとともに、その上部にはパネル５が、その下部にはカバー６がそれぞれ装着されていることでその基本構造体が構成されており、そして、この基本構造体にはシーソースイッチ１が配置されている。
【００２９】
次に、シーソースイッチ１の構成を説明する。
【００３０】
７は下部が開口された箱型形状のシーソーつまみであり、シーソーつまみ７の両側板下部には一対の軸支孔８が穿設され、さらに、軸支孔８の両側、つまり、シーソーつまみ７の図２で左側壁下端面に突設した突起をスイッチ作動部９ａとし、また、軸支孔８の図２で右側で垂下した壁部下面に突設した突起からなるスイッチ作動部９ｂとが設けられている。
【００３１】
スイッチケース４は、立ち上がり壁部１０で囲まれるようにして開口１１が設けられている。立ち上がり壁部１０の両側部には前記軸支孔８に挿通される一対の軸支用突部１２が一体に設けられ合成樹脂性のシーソーつまみ７の前記両側板及び立ち上がり壁部１０が撓んでスイッチケース４にシーソーつまみ７が揺動可能に取り付けられる。開口１１内の底部に挿通孔１３が設けられている。また、スイッチケース４の上板にはガイド孔１４が穿設され、ガイド孔１４には、作動体１５が上下動自在に挿入されている。これらの作動体１５の下端は、クリックゴム１６の中空凸部１７の上面に当接し、また、１つの作動体１５の上端は、シーソーつまみ７のスイッチ作動部９ａに当接し、他の１つの作動体１５の上端は、シーソーつまみ７のスイッチ作動部９ｂに当接している。
【００３２】
クリックゴム１６は、その中空凸部１７に、それぞれ導電性であり上記固定接点に対向する可動接点（図示せず）が設けられており、これら固定接点と可動接点によってプッシュスイッチ１８が構成されている。上記作動体１５の下面両端寄りには突起１９が突設され、この突起１９がクリックゴム１６の中空凸部１７の上面に設けられた嵌合凹部２０にそれぞれ嵌合されている。そして、該プッシュスイッチ１８は、上記各作動体１５のそれぞれに対し２固ずつ設けられており、また、作動体１５の上端に当接するスイッチ作動部９ａならびに９ｂは、図３に示すように両プッシュスイッチ１８の中間点より右のプッシュスイッチ１８寄りに設定されている。これにより、後述するような２段にクリック感を生じなから２段シーソースイッチ動作が行われる。
【００３３】
スイッチケース４には、シーソーつまみ７の形成方向の一方の端部上部を手を触れる被当接部Ａとし、この被当接部Ａと対向し、また、シーソーつまみ７の押圧方向から見た平面視状態でシーソーつまみ７から外れた範囲に渡って、かつ少なくとも隙間ａの範囲に設けられるとともに、前記外れた方向に行くに従って下がるように形成されたテーパー部２１が設けられている。また、テーパー部２１はテーパー部２１の上方にスペース２２が設けられて画成されている。
【００３４】
パネル５は、スイッチケース４に被せられ化粧面を有するとともに、弧状の凹壁部２３が形成され、さらに収納開口部２４が穿設されている。そして、シーソーつまみ７はパネル５の収納開口部２４に配設され、シーソーつまみ７の図２で右外側壁面２５に隙間ａを隔ててパネル５に形成した弧状の凹壁部２３の左端縁部が配設されている。シーソーつまみ７は軸支孔８と軸支用突部１２を中心に揺動するようになっている。したがって、シーソーつまみ７は被当接部Ａを押し下げると、軸支孔８と軸支用突部１２を中心にして時計回り方向に揺動し、右外側壁面２５は一点鎖線で示す軌跡Ｂを描いて揺動する。
【００３５】
また、シーソーつまみ７を押し下げると、シーソーつまみ７の右外側壁面２５はスイッチケース４の右壁部２６に突き当たって右壁部２６がシーソーつまみ７のストッパーとなっているが、本実施例では、テーパー部２１は前記ストッパーから連続して形成されている。
【００３６】
これらのテーパー部２１及びスペース２２は、シーソーつまみ７の形成方向、つまり、図２の左右方向に設られている。これにより、パワーウインドウ駆動用スイッチとして複数のシーソースイッチ１をシーソーつまみ７の形成方向と直交する方向（図２の紙面に直交する方向）にコンパクトに並べて配置できる。
【００３７】
まず、上記実施例の２段シーソースイッチ動作について説明する。
【００３８】
図２及び図３に示す非操作時の状態からオペレータがシーソーつまみ７の図２の右上端を押し込むと、該シーソーつまみ７が軸支孔８と軸支用突部１２を中心にして揺動可能に保持されているため、軸支用突部１２を中心として図２で時計方向に揺動し、シーソーつまみ７の押圧側（右側）が下降する。シーソーつまみ７に加えられた操作力は、シーソーつまみ７の裏面に配設されたスイッチ作動部９ｂを介して作動体１５を押し下げ、さらにクリックゴム１６の図３で左右の中空凸部１７に伝えられるが、前記スイッチ作動部９ｂから図３で右側の中空凸部１７までの距離の方が左側の中空凸部１７までの距離より小さいために、仮に両者が同じであった場合、右側の中空凸部１７を動作される為に必要な荷重は小さくとも済み、まず右側の中空凸部１７が座屈変形を開始する。そして、図４及び図５に示すように、シーソーつまみ７が図４で例えば時計回り方向へ稍揺動した時点で、図５の右側の中空凸部１７がシーソーつまみ７の押圧動作により座屈変形してクリック感を生起すると共に、該中空凸部１７に設けられた可動接点（図示せず）がこれに対向する固定接点（図示せず）に接触し、該固定接点が可動接点を介して導通（オン）するため、該プッシュスイッチ１８からシーソーつまみ７の揺動操作に応じた１段目の電気信号が出力される。
【００３９】
図４及び図５の状態からさらにシーソーつまみ７を押し込むと、右側の中空凸部１７の変形は完了しているので、今度は右側の中空凸部１７を回動支点として作動体１５が図５で反時計回り方向へ回動し、図５で左側の中空凸部１７に充分な力が加わる。そして、図６及び図７に示すように、該シーソーつまみ７が更に揺動した時点で、図７の左側の中空凸部１７が座屈変形して２段目のクリック感を生起すると共に、該中空凸部１７に設けられた可動接点（図示せず）がこれに対向する固定接点（図示せず）に接触し、該固定接点が可動接点を介して導通（オン）するため、該プッシュスイッチ１８からシーソーつまみ７の揺動操作に応じた２段目の電気信号が出力される。
【００４０】
なお、かかる傾倒状態のシーソーつまみ７から手を離すと、上記一対の中空凸部１７の弾発力により、作動体９ｂを介してシーソーつまみ７の下降している側が押し上げられ、該シーソーつまみ７は図２及び図３に示す非操作状態に戻る。同時に、接触状態にあった可動接点はそれぞれ固定接点から離間し、２個１組のプッシュスイッチ１８は再び非導通状態（オフ）となる。
【００４１】
また、図２及び図３に示す非操作時の状態からオペレータがシーソーつまみ７の右端を引き上げると、該シーソーつまみ７が図２で反時計回り方向に揺動してスイッチ作動部９ａが押圧され、上記スイッチ作動部９ｂが押圧された場合と同様に、上記スイッチ作動部９ａに対応する２個１組のプッシュスイッチ１８から揺動角度に応じて１段目と２段目の電気信号が出力される。
【００４２】
したがって、１つのシーソーつまみ７に対して２つの作動体１５が作動され、その１つの作動体に対して２つの中空凸部１７が対向しており、１つのシーソーつまみ７で図８、図９に示す合わせて４つの中空凸部１７が動作されることになる。
【００４３】
次に、本実施例のテーパー部２１及びスペーサ２２の作用について説明する。
【００４４】
図２の非操作状態では、シーソーつまみ７の右外壁面２５とパネル５の凹壁部２３の端縁面との間に隙間ａがある。したがって、小石や砂等の球形状に似た異物がパネル５の弧状の凹壁部２３に落ち込んだ場合、大きさが隙間ａ以上の異物の進入は防げる。しかしながら、隙間ａより小さい異物の場合、隙間ａから内部へ進入し、隙間ａの下方に配設されているテーパー部２１上に落下し、さらにテーパー部２１の傾斜によって図２の右方向へ滑り落ちる。このテーパー部２１は少なくとも右外壁面２５の揺動軌跡Ｂからａの長さ以上に渡って設けられ、かつテーパー部２１上にはテーパー部２１を画成する、隙間ａ以下の大きさの異物が入り込めるスペース２２を配設してあるので、落下した異物は、スムーズにシーソーつまみ７の右外壁面２５の移動軌跡Ｂ外に排出されて、図６に示すようにシーソーつまみ７の末端までの押し下げ動作を妨げることがない。よって、１段目と２段目の電気信号を確実に出力することが可能となる。なお、シーソーつまみ７を押し下げ操作して図４及び図６の状態となっても、同様に、シーソーつまみ７とパネル５の隙間からパネル５内に落下した異物は、スムーズに右外壁面２５の移動軌跡Ｂ外に排出されて、シーソーつまみ７の押し下げ動作を妨げることがない。
【００４５】
なお、本実施例においては、棒形状の異物が侵入しても問題ないようにする、或いは連続して入り込んだ場合にも問題ないようにする為スペース２２の長さと幅と高さを隙間ａの寸法に比べて十分に大きく設定している。
【００４６】
なお、テーパー部２１に連続してスイッチケース４の端部に至るテーパー溝を設けるようにしても良い。これにより、異物が隙間ａから連続して入り込んだ場合、テーパー部２１の異物が連続したテーパー溝を経て排出され、次の異物が入り込んでも、テーパー部２１からテーパー溝を経て排出されるので、よりシーソーつまみ７は入り込んだ異物による支障を受けにくくして、シーソーつまみ７の末端までのシーソー動作という機能を継続的に維持でき、１段目と２段目の電気信号を確実に出力することができる。
【００４７】
また、テーパー部２１は、異物（ゴミ）を貯める機能がある。なお、テーパー部２１はさらに水抜きの機能も持っている。ところで、テーパー部２１ではなくフラット（傾斜がない）であっても小石が水と一緒に流れる場合には、シーソーつまみ７のストロークが変わる（支障が出る）という問題はないが、水だけ蒸発して小石が残る場合、あるいは小石単独で入った場合には、傾斜のあるテーパー部２１でなくフラットであると異物がフラット面にとどまり異物が障害となってシーソーつまみ７のストロークが変わるという問題が考えられる。そのため、本発明では傾斜のあるテーパー部にした。
【００４８】
また、テーパー部２１の形成範囲は、シーソーつまみ７の中立位置から押し下げあるいは引き上げの操作状態により最大となる隙間ａに対応する部分に形成した。よって、どのようなシーソーつまみ７の操作状態であっても、上記効果を奏することができる。また、例えば、操作状態においても隙間ａが小さくなるようにすると、シーソーつまみ７の形状自体に制約が生じるが、内部のテーパー部２１の形成範囲を変更することによって異物がシーソーつまみの操作に影響を与える可能性を少なくできる。
【００４９】
このように構成された前記実施例にあっては、スイッチ部を収納するとともにシーソーつまみ７をシーソー動作可能に保持するスイッチケース４と、スイッチケース４にかぶせられて表面に化粧面を有するパネル５と、パネル５にはシーソーつまみ７との間に設けられた隙間ａとを備え、スイッチケース５には、シーソーつまみ７と対向し、また、シーソーつまみ７の押圧方向から見た平面視状態でシーソーつまみ７から外れた範囲に至る、少なくとも隙間ａの範囲に形成されたテーパー部２１を設け、また、テーパー部２１を画成するスペース２２を設けたため、異物の大きさがパネル５とシーソーつまみ７の隙間ａ以上の場合には内部に入り込まない。また、隙間ａ以下の場合には、最大隙間ａの大きさとほぼ同じ大きさの異物が入り込む可能性があるが、入り込んでもテーパー部２１とスペース２２によって異物は移動し、シーソーつまみ７の移動軌跡Ｂ上から外れた位置に移動することとなるので、シーソーつまみ７の動作を妨げない。よって、異物に影響されずにスイッチの操作末端までシーソーつまみ７を確実に操作できる。
【００５０】
また、前記実施例にあっては、テーパー部２１及びスペース２２は、シーソーつまみの形７成方向に設けたため、例えばパワーウインドウ駆動用スイッチでシーソーつまみ７をシーソーつまみ７の形成方向と直交する方向にコンパクトに並べて配置できる。
【００５１】
また、前記実施例にあっては、シーソーつまみ７の形成方向の一方の端部の上部を、手を触れれる被当接部Ａとし、被当接部Ａを上下方向に移動して、シーソーつまみ７をシーソー動作させ、被当接部Ａに対向する側の端部にのみテーパー部２１を設けたため、凹みとなって異物が入り込む可能性が高い方のシーソーつまみ７の被当接部Ａに対向する端部のみにテーパー部２１を設けているので、寸法を小さくできる。
【図面の簡単な説明】
【００５２】
【図１】本発明の実施例に係るシーソースイッチを適用したパワーウインドウスイッチ装置の平面図である。
【図２】図１の２−２線に沿った断面図である。
【図３】図２の３−３線に沿った断面図である。
【図４】押圧状態を示す断面図である。
【図５】図４の５−５線に沿った断面図である。
【図６】更に押圧した状態を示す断面図である。
【図７】図６の７−７線に沿った断面図である。
【図８】スイッチケース内に収納されたクリックゴムを横断して示す断面図である。
【図９】クリックゴムの斜視図である。
【図１０】従来のシーソースイッチの断面図である。
【図１１】図１０に示す従来のシーソースイッチの図１０と直交する方向における断面図である。
【符号の説明】
【００５３】
４  スイッチケース
５  パネル
７  シーソーつまみ
２１  テーパー部
２２  スペース
ａ  隙間
Ａ  被当接部
Ｂ  移動軌跡
【図１】
2006228524.tif 000003
【図２】
2006228524.tif 000004
【図３】
2006228524.tif 000005
【図４】
2006228524.tif 000006
【図５】
2006228524.tif 000007
【図６】
2006228524.tif 000008
【図７】
2006228524.tif 000009
【図８】
2006228524.tif 000010
【図９】
2006228524.tif 000011
【図１０】
2006228524.tif 000012
【図１１】
2006228524.tif 000013